(57)【要約】【課題】  ピアノやオルガン等の鍵盤楽器に容易に着脱でき、楽曲を演奏するに際して次に弾くべき鍵盤を容易に確認することができるキーカバーを提供する。【解決手段】  長方形の着脱式の鍵盤楽器のキーカバー１の本体部２と、前記本体部２に設けた表示部３とからなり、前記表示部３に、弾くべき鍵盤を把握できる鍵盤図３１、大譜表３２、音符３３、指示線３４、イラスト音符３５を構成し、前記本体部２に、前記鍵盤楽器のキーカバー１をゴム紐４で鍵盤楽器５の鍵盤蓋７の裏面に装着して使用することで鍵盤楽器５や鍵盤６を損傷することなく着脱できるキーカバー。【選択図】図１
2014132283.tif 000002
【特許請求の範囲】
【請求項１】
帯状の本体部と、前記本体部を鍵盤楽器へ着脱自在に取り付けるための係止手段とからなることを特徴とするキーカバー。
【請求項２】
前記キーカバーの両端に着脱自在に装着する鍵盤蓋ストッパーを備えたことを特徴とする請求項１記載のキーカバー。
【請求項３】
前記本体部に、鍵盤楽器の位置に対応するように表示された鍵盤図及び大譜表を表示してなり、前記鍵盤図を鍵盤楽器の鍵盤の位置に合わせて取り付けたことを特徴とする請求項１又は請求項２のいずれか記載のキーカバー。
【請求項４】
前記鍵盤図上に、それぞれの鍵盤図に対応するイラスト音符を記載したことを特徴とする請求項３に記載のキーカバー。
【発明の詳細な説明】
【技術分野】
【０００１】
本発明は、ピアノやオルガン等の鍵盤楽器のキーカバーに関するものであり、特に鍵盤楽器の練習用具として使用できるもので、楽譜に対応した鍵盤を容易且つ迅速に把握することができ、紛失の恐れもないキーカバーに関するものである。
【背景技術】
【０００２】
従来より、ピアノやオルガン等の鍵盤楽器は、使用しない時には鍵盤の上にキーカバーを置いて鍵盤を保護していた。このキーカバーは帯状の布よりなり、楽器の使用時には鍵盤上より取り外して近傍に置いていた。そのためキーカバーの取り付け、取り外しが面倒であると共に、キーカバーを紛失するおそれもあった。
【０００３】
一方、ピアノやオルガン等の鍵盤楽器の演奏の練習に際して、楽譜を正確に弾くために、例えば特許文献１に示す考案が提案されていた。この考案は、機器を鍵盤楽器の鍵盤の上に載置し、その外部から送信される電子的な信号により次に押圧する鍵盤を演奏者に指示し、演奏者はその信号によって指示された鍵盤を押圧する練習器である。
この練習器によれば、メロディーを知らなくても順次送られてくる信号にしたがって指示された個所の下のピアノの鍵を押圧すれば楽曲の演奏ができるのである。
【先行技術文献】
【特許文献】
【０００４】
【特許文献１】実用新案登録第３０５２４９７号公報
【発明の概要】
【発明が解決しようとする課題】
【０００５】
しかしながら、前記特許文献１の考案では、演奏者が単に信号によって指示された鍵盤を押圧するに過ぎないことから、信号により表示される鍵盤のみを目で追うことに集中してしまい、演奏する楽曲のテンポやリズムを理解できず、演奏技術の向上を図るには困難を伴う場合がある。
【０００６】
また、演奏する楽曲を予め電子データに変換し、外部機器にこれを入力することによって初めて信号の送信が可能となるため、電子データへの変換がなされていない楽曲の演奏には使用できないという問題があった。
【０００７】
更に、機器が大きく手軽に持ち運ぶことはできず、実際の鍵盤の上に載置する必要があるため、鍵盤やその枠部などの鍵盤楽器を損傷するおそれがあった。
【課題を解決するための手段】
【０００８】
請求項１に記載の発明は、帯状の本体部と、前記本体部を鍵盤楽器へ着脱自在に取り付けるための係止手段とからなるキーカバーである。
【０００９】
請求項２に記載の発明は、前記キーカバーの両端に着脱自在に装着する鍵盤蓋ストッパーを備えたキーカバーである。
【００１０】
請求項３に記載の発明は、前記本体部に、鍵盤楽器の位置に対応するように表示された鍵盤図及び大譜表を表示してなり、前記鍵盤図を鍵盤楽器の鍵盤の位置に合わせて取り付けたキーカバーである。
【００１１】
請求項４に記載の発明は、前記鍵盤図上に、それぞれの鍵盤図に対応するイラスト音符を記載したキーカバーである。
【発明の効果】
【００１２】
請求項１記載の発明によれば、帯状の本体部と、前記本体部を鍵盤楽器へ着脱自在に取り付けるための係止手段とからなるため、キーカバーを鍵盤楽器に着脱自在に装着させることができ、鍵盤楽器本体を損傷するおそれがなくなると共に、鍵盤楽器への装着が簡単で紛失の恐れもない等の効果を奏する。
【００１３】
請求項２記載の発明によれば、前記キーカバーの両端に着脱自在に装着する鍵盤蓋ストッパーを備えたから、鍵盤蓋が突然閉まっても指を挟んだりする事故を防止することができる等の効果を奏する。
【００１４】
請求項３記載の発明によれば、前記本体部に鍵盤楽器の位置に対応するように表示された鍵盤図及び大譜表を表示してなり、前記鍵盤図を鍵盤楽器の鍵盤の位置に合わせて取り付けたから、楽譜をおいた状態で、本体部を鍵盤楽器の鍵盤蓋に装着すると、該本体部には鍵盤楽器の実際の鍵盤に対応した鍵盤が表示されているため、楽譜に対応する鍵盤を容易に把握し迅速に弾くことができるため、キーカバーの効果を有すると共に、初歩の学習者が容易に楽譜を読むことができる練習用具としての効果を奏する。
【００１５】
請求項４記載の発明によれば、前記本体部に、それぞれの鍵盤に対応して各音を表示する絵図からなるイラスト音符を記載してなるため、児童や鍵盤楽器の演奏に慣れていない初心者も、鍵盤と音との関係が容易に分かり弾くべき鍵盤を把握することができるため、楽しみながら演奏技術の向上を図ることができる。
【図面の簡単な説明】
【００１６】
【図１】本発明の実施形態１のキーカバーの正面図
【図２】本発明の実施形態１のキーカバーの背面図
【図３】本発明の実施形態１のキーカバーの使用説明図
【図４】図３の一部拡大図
【図５】表面にイラスト音符を構成した鍵盤の一部拡大図
【図６】鍵盤蓋ストッパーの取り付け状態を示す説明図
【図７】鍵盤蓋ストッパーの使用状態の説明図
【発明を実施するための形態】
【００１７】
本発明の実施形態１を図に基づいて説明する。
図１に示すように、キーカバー１は、フェルト等の布地を横長の長方形に裁断した帯状の本体部２と、前記本体部２に縫付等によって取り付けた布地からなる表示部３と、前記本体部２の両端部に取り付けられ、本体部２をピアノ５に取り付けるための係止手段であるゴム紐４とからなる。
本体部２の両端には、後述する鍵盤蓋ストッパー９を固定するための固定手段２５が構成されている。この固定手段２５は、長方形状のベルベットファスナーよりなる。
【００１８】
本実施形態では、鍵盤楽器としてピアノについて説明するが、これ以外の鍵盤楽器にも適用できる。また、係止手段もゴム紐に限らず、例えば伸縮性のない紐類を用いることもできる。
【００１９】
前記本体部２の表面に構成した表示部３には、鍵盤図３１、大譜表３２及び音符３３が記載されていて、鍵盤図３１の鍵盤と各音符３３を関連付ける指示線３４を記載し、さらに鍵盤図３１の上に、白鍵に該当するイラスト音符３５のシールが貼付されている。このイラスト音符３５はシールによらずに、直接鍵盤図３１の上に印刷しても良い。
【００２０】
図４、図５に示すように、前記鍵盤図３１は鍵盤のイラストであり、通常よく使う範囲の４オクターブ分の鍵盤が記載されていて、キーカバー１を使用するピアノ５の実際の鍵盤６と同一の大きさ、配置からなっている。
【００２１】
また、鍵盤図３１には、各鍵盤に対応して各音を表わしたイラスト音符３５ａ、３５ｂ、３５ｃ、３５ｄ、３５ｅ、３５ｆ、３５ｇが表示されている。
すなわち、「ド」はドングリを描いたイラスト音符３５ａ、「レ」はレモンを描いたイラスト音符３５ｂ、「ミ」はミカンを描いたイラスト音符３５ｃ、「ファ」はファイトを表現したイラスト音符３５ｄ、「ソ」は空を描いたイラスト音符３５ｅ、「ラ」はラッパを描いたイラスト音符３５ｆ、「シ」はしまうまを描いたイラスト音符３５ｇが描かれている。
【００２２】
なお、前記イラスト音符３５ａ〜３５ｇは、児童や鍵盤楽器演奏に不慣れな初級者向けのものであり、中級者や上級者が対象の場合には使用しなくても良い。
前記鍵盤図３１、音符３３及びイラスト音符３５は、互いに一致して記載されている。
【００２３】
前記鍵盤図３１の下方には、大譜表３２が記載されており、４オクターブの範囲の音階を示す音符３３，３３・・が記載されている。更に、前記鍵盤図３１の各白鍵とそれに対応する音符３３，３３・・を結ぶ指示線３４が記載されている。
【００２４】
図２に示すように、前記本体部２の裏面２１の両端部には、ゴム紐４の一端を固定することにより、キーカバー１をピアノ５の鍵盤蓋７の内側に着脱自在に装着できるのである。この装着時には、前記表示部３の鍵盤図３１は、ピアノ５の実際の鍵盤６の位置に合わせて装着する。
【００２５】
図６及び図７に基づいて、鍵盤蓋ストッパー９を説明する。
鍵盤用ストッパー９は略直角三角形であり、表面は布製で内部には硬質のウレタン等の強度を保つため材質を充填してある。垂直の側面９１にベルベットファスナーからなる固定手段９３を取り付けてある。
本体部２への取り付けは、前記固定手段９３を、前記本体部２に設けた固定手段２５に着脱自在に係合することで容易に行える。
【００２６】
上記のように構成した本実施形態の作用を説明する。
キーカバー１を使用する場合は、図３に示すように、ピアノ５の鍵盤６の鍵盤蓋７の周囲を周回させるようにゴム紐４を鍵盤蓋７の外側に掛け渡し、本体部２を鍵盤蓋７の内側に固定することでキーカバー１を装着して使用する。そして、本体部２の固定手段２５に鍵盤蓋ストッパー９の固定手段９３を固定し、底面９２をピアノ５の鍵盤６の側方に載置する。
【００２７】
この場合、ゴム紐４によりキーカバー１を固定するため、取り付けや取り外しが容易であると共に、一度装着すると鍵盤蓋７に確実に固定され、練習中に移動することはない。また、着脱時あるいは使用中に鍵盤楽器５や鍵盤６及び鍵盤蓋７を損傷するおそれはない。
使用後に、鍵盤蓋ストッパー９を外してから鍵盤蓋７を閉めると、鍵盤６の上にキーカバー１が自動的に載置されるから鍵盤６は保護されると共に、キーカバーの置き忘れがなく、紛失も防止される。
【００２８】
鍵盤蓋７に譜面立て（図示せず）を備えている場合は、本体部２を長手方向に二つ折りして、大譜表３２のみを表面に表示して譜面立てに置いて使用することもできる。
【００２９】
また、演奏に際して、キーカバー１の上部に楽譜８を置くことができるため、演奏者は常に自らが演奏している楽曲の楽譜８を視認することができる。
更に、演奏者は、次に弾くべき鍵盤６の位置を把握できなかった場合、楽譜８を視認しつつ、やや下方に視線をずらして表示部３を見ることで、音符３３に対応した鍵盤図３１を確認することができる。
またこの時には、イラスト音符３５を使用すれば更に理解が深まる。
【００３０】
このように本実施形態では、次のような効果を奏する。
演奏中に、ピアノ５の鍵盤６に視線を落とすことなく、音符に対応する鍵盤６の位置が簡易且つ迅速に確認できるため、楽曲のリズムを崩すことなくリズムにのった演奏が可能となると共に、感覚的に鍵盤の配置を理解できるため、より一層の演奏技術の向上が図られる。
【００３１】
また、図５に示すように、前記各音符に対応するイラスト音符３５ａ〜３５ｇと同一図柄のシールをピアノ５の鍵盤６に貼付することもできる。この場合は楽譜８から目を離して鍵盤６を視認した場合であっても、鍵盤６に貼付したイラスト音符３５ａ〜３５ｇにより、迅速に弾くべき鍵盤を把握できるのである。
【００３２】
ピアノを演奏しているときは、鍵盤蓋７は鍵盤蓋ストッパー９によって固定されているため、何らかの理由で鍵盤蓋７が閉まってきても、鍵盤蓋ストッパー９が鍵盤蓋７を支えるため指を挟むなどの事故が防止される。さらに、練習のために携帯したり、収納することも容易に行える。
【符号の説明】
【００３３】
１  キーカバー                  ２  本体部        
３  表示部                      ４  ゴム紐（係止手段）
５  ピアノ（鍵盤楽器）          ６  鍵盤
７  鍵盤蓋                      ８  楽譜          
２１  本体部裏面                ９  鍵盤蓋ストッパー
２５  固定手段                  ３２  大譜表
３１  鍵盤図                    ３４  指示線
３３  音符                      ３５ａ  イラスト音符
３５  イラスト音符              ３５ｃ  イラスト音符
３５ｂ  イラスト音符            ３５ｅ  イラスト音符
３５ｄ  イラスト音符            ３５ｇ  イラスト音符
３５ｆ  イラスト音符            ９３  固定手段    
９１  側面
９２  底面  
【図１】
2014132283.tif 000003
【図２】
2014132283.tif 000004
【図３】
2014132283.tif 000005
【図４】
2014132283.tif 000006
【図５】
2014132283.tif 000007
【図６】
2014132283.tif 000008
【図７】
2014132283.tif 000009
【手続補正書】
【提出日】平成24年6月28日(2012.6.28)
【手続補正１】
【補正対象書類名】特許請求の範囲
【補正対象項目名】請求項１
【補正方法】変更
【補正の内容】
【請求項１】
帯状の本体部と、前記本体部を鍵盤楽器の鍵盤蓋の内側に着脱自在に取り付けるための係止手段とからなり、鍵盤蓋に装着して使用可能とすることを特徴とするキーカバー。
【手続補正２】
【補正対象書類名】特許請求の範囲
【補正対象項目名】請求項４
【補正方法】変更
【補正の内容】
【請求項４】
前記鍵盤図上に、それぞれの鍵盤に対応するイラスト音符を記載したことを特徴とする請求項３に記載のキーカバー。
【手続補正３】
【補正対象書類名】明細書
【補正対象項目名】０００８
【補正方法】変更
【補正の内容】
【０００８】
請求項１に記載の発明は、帯状の本体部と、前記本体部を鍵盤楽器の鍵盤蓋の内側に着脱自在に取り付けるための係止手段とからなり、鍵盤蓋に装着して使用可能とするキーカバーである。
【手続補正４】
【補正対象書類名】明細書
【補正対象項目名】００１１
【補正方法】変更
【補正の内容】
【００１１】
請求項４に記載の発明は、前記鍵盤図上に、それぞれの鍵盤に対応するイラスト音符を記載したキーカバーである。
【手続補正５】
【補正対象書類名】明細書
【補正対象項目名】００１２
【補正方法】変更
【補正の内容】
【００１２】
請求項１に記載の発明によれば、帯状の本体部と、前記本体部を鍵盤楽器の鍵盤蓋の内側に着脱自在に取り付けるための係止手段とからなり、鍵盤蓋に装着して使用可能とするため、キーカバーを鍵盤楽器の鍵盤蓋の内側に着脱自在に装着させることができ、鍵盤楽器本体を損傷するおそれがなくなると共に、鍵盤楽器への装着が簡単で紛失のおそれもない等の効果を奏する。
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
帯状の本体部と、前記本体部を鍵盤楽器の鍵盤蓋の内側に着脱自在に取り付けるための係止手段と、前記本体部の両端に着脱自在に装着する鍵盤蓋ストッパーからなり、鍵盤蓋に装着して鍵盤を使用可能としたことを特徴とするキーカバー。
【請求項２】
前記本体部に、鍵盤楽器の位置に対応するように表示された鍵盤図及び大譜表を表示してなり、前記鍵盤図を鍵盤楽器の鍵盤の位置に合わせて取り付けたことを特徴とする請求項１に記載のキーカバー。
【請求項３】
前記鍵盤図上に、それぞれの鍵盤に対応するイラスト音符を記載したことを特徴とする請求項２に記載のキーカバー。
【手続補正２】
【補正対象書類名】明細書
【補正対象項目名】０００８
【補正方法】変更
【補正の内容】
【０００８】
請求項１に記載の発明は、帯状の本体部と、前記本体部を鍵盤楽器の鍵盤蓋の内側に着脱自在に取り付けるための係止手段と、前記本体部の両端に着脱自在に装着する鍵盤蓋ストッパーからなり、鍵盤蓋に装着して鍵盤を使用可能としたキーカバーである。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に記載の発明は、前記本体部に、鍵盤楽器の位置に対応するように表示された鍵盤図及び大譜表を表示してなり、前記鍵盤図を鍵盤楽器の鍵盤の位置に合わせて取り付けたキーカバーである。
【手続補正５】
【補正対象書類名】明細書
【補正対象項目名】００１１
【補正方法】変更
【補正の内容】
【００１１】
請求項３に記載の発明は、前記鍵盤図上に、それぞれの鍵盤に対応するイラスト音符を記載したキーカバーである。
【手続補正６】
【補正対象書類名】明細書
【補正対象項目名】００１２
【補正方法】変更
【補正の内容】
【００１２】
請求項１に記載の発明によれば、帯状の本体部と、前記本体部を鍵盤楽器の鍵盤蓋の内側に着脱自在に取り付けるための係止手段と、前記本体部の両端に装着する鍵盤蓋ストッパーとからなるため、キーカバーを鍵盤楽器の鍵盤蓋の内側に着脱自在に装着させることができ、鍵盤楽器本体を損傷するおそれがなくなると共に、鍵盤楽器への装着が簡単で紛失のおそれもなく、鍵盤蓋が突然閉まっても指を挟んだりする事故を防止することができる等の効果を奏する。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項２記載の発明によれば、前記本体部に鍵盤楽器の位置に対応するように表示された鍵盤図及び大譜表を表示してなり、前記鍵盤図を鍵盤楽器の鍵盤の位置に合わせて取り付けたから、楽譜をおいた状態で、本体部を鍵盤楽器の鍵盤蓋に装着すると、該本体部には鍵盤楽器の実際の鍵盤に対応した鍵盤が表示されているため、楽譜に対応する鍵盤を容易に把握し迅速に弾くことができるため、キーカバーの効果を有すると共に、初歩の学習者が容易に楽譜を読むことができる練習用具としての効果を奏する。
【手続補正９】
【補正対象書類名】明細書
【補正対象項目名】００１５
【補正方法】変更
【補正の内容】
【００１５】
請求項３記載の発明によれば、前記本体部に、それぞれの鍵盤に対応して各音を表示する絵図からなるイラスト音符を記載してなるため、児童や鍵盤楽器の演奏に慣れていない初心者も、鍵盤と音との関係が容易に分かり弾くべき鍵盤を把握することができるため、楽しみながら演奏技術の向上を図ることができる。